(57)【要約】【課題】水又は湯が給水路から溢れることがないと共に、洗濯用水を温度センサを用いずにほぼ所定の水温にできる洗濯機を提供する。【解決手段】実施形態の洗濯機は、給水弁と、給湯弁と、水槽内の水位を検出する水位センサとを備え、さらに水・湯混合洗濯コースで水と湯とを水槽に供給する場合において供給する洗濯用水の目標水量に相当する目標水位と、この目標水量に対して所定比率となる水量と湯量の割合に応じて設定された弁切替え判定用水位とを記憶した記憶手段と、水・湯混合による洗濯用水を使用する場合に、給水弁の開放と給湯弁の開放とを交互に行い、且つ、これら給水弁又は給湯弁の開放を、水位センサによる検出水位が弁切替え判定用水位となったことに応じて行う洗濯用水供給制御手段とを備える。【選択図】図３
2014083181.tif 000002
【特許請求の範囲】
【請求項１】
給水弁と給湯弁とを備え、洗濯用水として給水弁から出た水と給湯弁から出た湯とを共通の給水路を通して水槽内に供給可能で、洗い行程又はすすぎ行程で前記給水弁からの水と前記給湯弁からの湯との水・湯混合による洗濯用水を使用する水・湯混合洗濯コースを実行可能な洗濯機において、
前記水槽内の水位を検出する水位センサと、
前記水・湯混合洗濯コースで水と湯とを前記水槽に供給する場合において供給する洗濯用水の目標水量に相当する目標水位と、前記目標水量に対して所定比率となる水量と湯量の割合に応じて設定された弁切替え判定用水位とを記憶した記憶手段と、
前記水・湯混合による洗濯用水を使用する場合に、前記給水弁の開放と給湯弁の開放とを交互に行い、且つ、この給水弁の開放又は給湯弁の開放を、前記水位センサによる検出水位が前記弁切替え判定用水位となったことに応じて行う洗濯用水供給制御手段とを備えた洗濯機。
【請求項２】
前記記憶手段で記憶した弁切替え判定用水位は、前記目標水位が高いほど高く設定されている請求項１に記載の洗濯機。
【請求項３】
前記洗濯用水供給制御手段は、先に前記給水弁による給水を実行する請求項１又は２に記載の洗濯機。
【請求項４】
前記洗濯用水供給制御手段は、先に前記給水弁による給水を実行するについて、前記水位センサが水位を検出可能な下限水位となるまで前記給水弁による給水を実行する請求項１から３までのいずれかに記載の洗濯機。
【請求項５】
さらに、報知手段と、
前記給水弁及び給湯弁のいずれかが開放されている状態で、所定時間を経過しても前記水位センサによる検出水位に変化が無いときには、前記報知手段に異常報知をさせる報知制御手段と
を備えた請求項１から４までのいずれかに記載の洗濯機。
【請求項６】
前記報知制御手段が、前記所定時間を経過しても前記水位センサによる検出水位に変化が無いと判断したときには、前記洗濯用水供給制御手段は、前記給水弁及び給湯弁のうちこの時点で開放されている弁を、使用禁止の弁として前記記憶手段に記憶し、この記憶した弁は今後の洗濯用水の供給には使用せず、この時点で閉鎖されていた弁を今後の洗濯用水の供給に使用する請求項５に記載の洗濯機。
【発明の詳細な説明】
【技術分野】
【０００１】
本発明の実施形態は、洗濯機に関する。
【背景技術】
【０００２】
従来、洗濯機では、給水弁と給湯弁とを備え、洗い行程又はすすぎ行程で前記給水弁からの水と前記給湯弁からの湯との水・湯混合による洗濯用水を使用する水・湯混合洗濯コースを実行可能な洗濯機がある。このものでは、水と湯との混合による洗濯用水により洗い行程やすすぎ行程を行う。又、この種の洗濯機においては、給水弁から出た水と給湯弁から出た湯とを共通の給水ケース（給水路）を通して水槽内に供給できるようにしたものがある。
【先行技術文献】
【特許文献】
【０００３】
【特許文献１】特開２００９−６６１９０号公報
【特許文献２】特開２０１０−４６２９０号公報
【発明の概要】
【発明が解決しようとする課題】
【０００４】
ところで、上記構成では、給水弁と給湯弁とを同時に開放するため、給水ケースから水が溢れてしまう問題がある。又、水と湯との混合による洗濯用水の温度を所定の温度とするために、温度センサにより水槽内の前記洗濯用水の温度を検出し、その温度検出結果に応じて水又は湯を追加供給するようにしている。しかしこれでは、温度センサが必要であるため、構成の複雑となる不具合がある。
そこで、水又は湯が給水路から溢れることがないと共に、洗濯用水を温度センサを用いずにほぼ所定の水温にできる洗濯機を提供する。
【課題を解決するための手段】
【０００５】
実施形態の洗濯機は、給水弁と給湯弁とを備え、洗濯用水として給水弁から出た水と給湯弁から出た湯とを共通の給水路を通して水槽内に供給可能で、洗い行程又はすすぎ行程で前記給水弁からの水と前記給湯弁からの湯との水・湯混合による洗濯用水を使用する水・湯混合洗濯コースを実行可能な洗濯機において、前記水槽内の水位を検出する水位センサと、前記水・湯混合洗濯コースで水と湯とを前記水槽に供給する場合において供給する洗濯用水の目標水量に相当する目標水位と、前記目標水量に対して所定比率となる水量と湯量の割合に応じて設定された弁切替え判定用水位とを記憶した記憶手段と、前記水・湯混合による洗濯用水を使用する場合に、前記給水弁の開放と給湯弁の開放とを交互に行い、且つ、これら給水弁又は給湯弁の開放を、前記水位センサによる検出水位が前記弁切替え判定用水位となったことに応じて行う洗濯用水供給制御手段とを備える。
【図面の簡単な説明】
【０００６】
【図１】第１実施形態による洗濯機の一部破断の側面図
【図２】洗濯機の一部破断の平面図
【図３】電気的構成を示すブロック図
【図４】記憶データの概要を示す図
【図５】制御装置の制御内容を示すフローチャート
【図６】洗濯運転のタイムチャート
【図７】第２実施形態による図６相当図
【図８】第３実施形態による第１の給水行程のフローチャート
【発明を実施するための形態】
【０００７】
＜第１実施形態＞
第１実施形態について図１から図６を参照して説明する。図１に示す第１実施形態による洗濯機１は、矩形筒状をなす外箱２と外箱２の上部に装着されたトップカバー３とからなる外殻４を備えている。外箱２内には、貯水可能な水槽５が吊り棒６ａを主体とする弾性吊持機構６を介して外箱２に弾性的に支持されている。そして、この水槽５の内部には、回転槽７が回転可能に配設されている。この回転槽７は、周壁部に多数の孔７ａ（一部を示す）を有する。
【０００８】
水槽５及び回転槽７は、共に有底円筒状をなしていて、それぞれの軸中心線が上下方向に指向する縦軸状に配置されている。また、回転槽７の上端開口部の周縁部には、回転バランサ８が設けられている。
回転槽７内の底部には撹拌体９が回転可能に配設され、水槽５の外底部には駆動装置１０が配設されている。この駆動装置１０は、正逆回転可能なＤＣブラシレスタイプのモータ１１と、図示しないクラッチ機構などを備えていて、撹拌体９と回転槽７とを選択的に回転駆動する構成となっている。水槽５の上面には、環状をなす水槽カバー１２が設けられている。
【０００９】
上記トップカバー３には、図示しないが洗濯物出入口が形成されていると共に、この洗濯物出入口を開閉する蓋１４が、後部側のヒンジ（図示せず）を介して回動可能に設けられている。蓋１４は、この場合２つ折り式となっている。
水槽５の底部には、排水口１５が形成されており、この排水口１５から延設された排水経路１６には排水弁１７が配設されている。この排水弁１７の下流には排水ホース１７ａが接続されている。そして、電磁弁からなる排水弁１７を開閉駆動することにより、水槽５に貯水された洗濯水が排水経路１６及び排水ホース１７ａを介して排出される。
【００１０】
前記水槽５の底部には前記排水経路１６と連通して上方に膨出するエアトラップ２７が形成されており、このエアトラップ２７の上部にはエアチューブ２７ａが接続されている。このエアチューブ２７ａには、水位センサ２８（図３参照）が接続されている。この水位センサ２８はエアトラップ２７の下面開口が洗濯用水によって閉塞されると、その水位以上の水位を、内部空気圧をもって検出する。なお、検出可能な下限水位をリセット水位と称する。
【００１１】
図２に示すように、トップカバー３の前部上面には、洗濯機の運転操作をするための操作パネル１８が設けられている。
操作パネル１８には、各種選択コースの設定を行うための操作キー１８ａ（図３参照）と、洗濯時間等を表示する表示部１８ｂ（図３参照）とが設けられている。この操作パネル１８を形成するトップカバー３の内方には洗濯用水供給制御手段たる制御装置１９（図３参照）を含んだ電子ユニットが配設されている。前記制御装置１９はマイクロコンピュータを主として構成されている。
【００１２】
また、トップカバー３の後方には、給湯設備等に接続するための給湯ホースを取り付け可能な給湯側接続口２０、水道に接続するための給水ホースを取り付け可能な水道側接続口２１が夫々形成されている。そして、この給湯側接続口２０の下流側には電磁弁からなる給湯弁２２が配設され、給湯設備等から供給される湯が給湯経路２３を介してほぼ矩形状の洗剤ケース２４に至るよう構成されている。
【００１３】
一方、この水道側接続口２１の下流側には電磁弁からなる給水弁２５が配設され、水道から供給される水が給水経路２６を介して洗剤ケース２４に至るよう構成されている。したがって、洗剤ケース２４は、湯、水（水道水）、及びこれらの混合水の共通の流路となる給水路に相当する。
【００１４】
なお、給湯側接続口２０には、外部接続された給湯設備から６０℃を超えない程度（例えば４５〜５５℃程度）の湯が水槽５内ひいては回転槽７内に供給可能となっている。
図３は洗濯機の電気的ブロック図を示している。操作キー１８ａへ入力された洗濯運転に関する入力情報は、制御装置１９へと送られる。また、前記水位センサ２８が検出する水位情報も制御装置１９へと送られている。さらに、モータ１１には、モータの回転数又は位置を検知するホールＩＣ等から成る回転センサ３０が取り付けられており、回転センサ３０により検知したモータ１１の回転数及び位置情報が制御装置１９へと送られている。
【００１５】
一方、制御装置１９は、駆動回路２９を介して表示部１８ｂ、ブザー３１、給湯弁２２、給水弁２５、モータ１１、排水弁１７と電気的に接続されている。そして、制御装置１９は、洗濯運転情報を表示部１８ｂに表示するよう構成されている。表示部１８ｂ及びブザー３１はともに報知手段として機能するものである。制御装置１９は、記憶手段として不揮発性メモリであるＥＥＰＲＯＭ３２を有している。
【００１６】
次に、制御装置１９の制御内容について説明する。ここで、この実施形態の洗濯機１では、洗濯コースとして、給湯設備からの湯のみを用いて洗濯する「ＨＯＴコース」、水道水のみを用いて洗濯する「ＣＯＯＬコース」、及び給湯設備からの湯及び水道水の混合水を用いて洗濯する水・湯混合洗濯コースとしての「ＷＡＲＭコース」があり、これら洗濯用水の温度が異なる３種類のコースが選択可能である。
【００１７】
ここで、水・湯混合洗濯コースとしての「ＷＡＲＭコース」では、少なくとも、第１の給水行程、洗濯用水として水・湯混合水を使用した洗い行程、排水行程、脱水行程、第２の給水行程、洗濯用水として水を使用したすすぎ（ためすすぎ）行程、排水行程、脱水行程から構成され、この順に実行される。
【００１８】
この「ＷＡＲＭコース」には、さらに「高水位コース」、「中水位コース」、「中１水位コース」、「低水位コース」、「少水位コース」、「極少水位コース」が含まれる。これら各コースは、目標水量（水・湯の混合水の合計水量）に相当する目標水位が、夫々、「高水位」、「中水位」、「中１水位」、「低水位」、「少水位」、「極少水位」である。水位レベルとしては、「高水位」＞「中水位」＞「中１水位」＞「低水位」＞「少水位」＞「極少水位」である。
「極少水位コース」を除く、「高水位コース」、「中水位コース」、「中１水位コース」、「低水位コース」、「少水位コース」の各第１給水行程は、水位（水量）、所要時間は異なるが基本的に同じ制御パターンである。
【００１９】
ここで、前記ＥＥＰＲＯＭ３２には、目標水位Ｈｆと、給水弁２５の開放と給湯弁２２の開放との切替えタイミングとしての弁切替え判定用水位Ｈｖとを各コースごとに記憶している（図４参照）。この弁切替え判定用水位Ｈｖは、水・湯の混合水を目標水位（目標水量）入れる場合、水量と湯量とを目標とする混合比とするための水・湯の供給の切替えタイミングたるものであり、水量と湯量とを目標とする混合比とすることで、混合水の温水温度をおおよその所定温度とすることが可能である。この所定温度とは、洗濯機使用時点での水（水道水）の温度と、湯の温度と間の温度であり、必ずしも、絶対的な温度を意味するものではない。なお、前記弁切替え判定用水位Ｈｖは、メーカー側でデフォルト的に設定して記憶させても良いし、使用者が好みに応じて設定して記憶できるようにしても良い。
【００２０】
図４において、「高水位コース」では目標水位Ｈｆとして「高水位」を記憶すると共に当該「高水位コース」における弁切替え判定用水位Ｈｖとして、「中１水位」と「低水位」との間の所定水位である水位ｋ３を記憶している。同様に、「中水位コース」では目標水位Ｈｆとして「中水位」を記憶すると共に弁切替え判定用水位Ｈｖとして「低水位」を記憶しに、「中１水位コース」では目標水位Ｈｆとして「中１水位」を記憶すると共に弁切替え判定用水位Ｈｖとして水位ｋ２（「低水位」＞ｋ２＞「少水位」）を記憶し、「低水位コース」では目標水位Ｈｆとして「低水位」を記憶すると共に弁切替え判定用水位Ｈｖとして「少水位」を記憶し、「少水位コース」では目標水位Ｈｆとして「少水位」を記憶すると共に弁切替え判定用水位Ｈｖとして水位ｋ１（「少水位」＞ｋ１＞「極少水位」）を記憶している。
【００２１】
さて、前記「ＷＡＲＭコース」のうち「極少水位コース」を除く、「高水位コース」、「中水位コース」、「中１水位コース」、「低水位コース」、「少水位コース」のいずれかが選択されて図示しないスタートキーが操作されたとき、制御装置１９は、次のように各行程を制御する。この制御動作について、図５のフローチャート及び図６のタイムチャートを参照して説明する。図６において、斜線部分は該当する弁が開放している状態を示している。
【００２２】
制御装置１９は、ステップＳ１０〜ステップＳ８０により第１の行程を制御する（洗濯用水供給制御手段）。最初に、上記各コースのうち選択されたコースに応じた初期設定を行う（ステップＳ１０）。この初期設定は、前記ＥＥＰＲＯＭ３２から、選択されたコースに応じた目標水位Ｈｆと弁切替え判定用水位Ｈｖとを読み出して設定する。すなわち、「高水位コース」のときには、目標水位Ｈｆを「高水位」に設定すると共に弁切替え判定用水位Ｈｖを水位Ｋ３に設定し、「中水位コース」のときには目標水位Ｈｆを「中水位」に設定すると共に弁切替え判定用水位Ｈｖを「低水位」に設定し、「中１水位コース」のときには目標水位Ｈｆを「中１水位」に設定すると共に弁切替え判定用水位Ｈｖを水位Ｋ２に設定し、「低水位コース」のときには目標水位Ｈｆを「低水位」に設定すると共に弁切替え判定用水位Ｈｖを「少水位」に設定し、「少水位コース」のときには目標水位Ｈｆを「少水位」に設定すると共に弁切替え判定用水位Ｈｖを水位ｋ１に設定する。
【００２３】
次に給水弁２５のみを開放する（ステップＳ２０）。これにより水道水が給水経路２６、前記洗剤ケース２３を通って水槽５内に供給される。
そして水位センサ２８が水位を検出可能な下限水位であるリセット水位Ｈｒに達したか否かを判断する（ステップＳ３０）。前記水位センサ２８が前記リセット水位Ｈｒを検出するには、若干量の水がエアトラップ２７の下面開口を塞ぐことが必要であり、この時の水量をＷｍ０とする。
前記ステップＳ３０で「ＹＥＳ」であれば、給水弁２５を閉鎖し、給湯弁２２を開放する（ステップＳ４０）。これにより湯が給湯経路２３、洗剤ケース２４を通って水槽５内に供給される。
【００２４】
この後、水位センサ２８による検出水位が、設定された弁切替え判定用水位Ｈｖとなったか否かを判断する（ステップＳ５０）。「ＹＥＳ」であれば、給湯弁２２を閉鎖して給水弁２５を開放する（ステップＳ６０）。つまり、検出水位が弁切替え判定用水位Ｈｖとなれば、給湯弁２２と給水弁２５とを交互に開放する。これにより、目標水位（目標水量Ｗｆ）Ｈｆに対して設定された水・湯の混合比による湯量分の湯が供給される。
【００２５】
この後、水位センサ２８による検出水位が、設定された目標水位Ｈｆとなったか否かを判断し（ステップＳ７０）、目標水位Ｈｆとなったことが判断されると、給水弁２５を閉鎖する（ステップＳ８０）。
ここで、この場合の湯量の目安は、「高水位コース」の場合であると図６の符号Ｗｙａで示す範囲となる。水量の目安は、前記Ｗｍ０と、弁切替え判定用水位Ｈｖから目標水位Ｈｆまでの水量Ｗｍａ１との合計Ｗｍａ（Ｗｍａ＝Ｗｍ０+Ｗｍａ１）となる。目標水量Ｗｆａ＝Ｗｙａ+Ｗｍａである。
【００２６】
「中水位コース」の場合の湯量の目安は、同じく図６の符号Ｗｙｂとなり、水量はＷｍｂ（Ｗｍｂ＝Ｗｍ０+Ｗｍｂ１）となる。
「中１水位コース」の場合の湯量の目安は、同じく図６の符号Ｗｙｃとなり、水量はＷｍｃ（Ｗｍｃ＝Ｗｍ０+Ｗｍｃ１）となる。
「低水位コース」の場合の湯量の目安は、同じく図６の符号Ｗｙｄとなり、水量はＷｍｄ（Ｗｍｄ＝Ｗｍ０+Ｗｍｄ１）となる。
「少水位コース」の場合の湯量の目安は、同じく図６の符号Ｗｙｅとなり、水量はＷｍｅ（Ｗｍｅ＝Ｗｍ０+Ｗｍｅ１）となる。
【００２７】
以上のようにして第１の給水行程が終了する。
次に、図５のステップＳ９０で、撹拌体９を正逆回転させて洗濯物を洗う洗い（洗剤洗い）行程を実行する。この洗い行程では、洗濯用水として水・湯の混合水による洗いが行われる。
次に、排水弁１７を開放することによる排水行程（ステップＳ１００）、及び排水弁１７を開放したままで回転槽７を洗濯物の洗剤分除去のために高速回転させる脱水行程（ステップＳ１１０）を実行する。そして、第２の給水行程を実行する（ステップＳ１２０）。この第２の給水行程では給水弁２５のみを開放して水道水を水槽５内に供給し、水位センサ２８による検出水位が、設定された目標水位Ｈｆとなったときに給水弁２５を閉鎖する。
【００２８】
この第２の給水行程の後は、水槽５内に水を溜めた状態でのすすぎ行程を実行する（ステップＳ１３０）。このすすぎ行程においては、水（水道水）のみで、撹拌体９を正逆回転させることにより洗濯物をすすぎ洗いする。この後、順次、排水弁１７を開放する排水行程（ステップＳ１４０）、及び排水弁１７を開放したままで回転槽７を洗濯物脱水のために高速回転させる脱水行程（ステップＳ１５）を実行した後、洗濯運転を終了する。
【００２９】
上述した実施形態によれば、水・湯混合による洗濯用水を使用する場合に、給水弁２５の開放と給湯弁２２の開放とを交互に行うから、両弁２５、２２から水・湯の両方を同時に流す場合に比して、洗剤ケース２４を流れる洗濯用水の水量を抑えることができて、洗剤ケース２４から洗濯用水が溢れることを防止できる。
【００３０】
又、本実施形態においては、水・湯混合給水行程において目標水量に相当する目標水位Ｈｆと、この目標水量に対して所定比率となる水量と湯量の割合に応じて設定された弁切替え判定用水位Ｈｖとを予め記憶しておき、給水弁２５及び給湯弁２２の開放切替えを、水位センサ２８による検出水位がこの弁切替え判定用水位Ｈｖとなったことに応じて行うから、水槽５内に目標水量に対して所定比率となる水量と湯量の水・湯を供給することができる。そして、所定比率の水量及び湯量によって、洗濯用水を、水温センサを用いることなく、目標とする水温とすることができる。なお、給湯弁２２と給水弁２５とを交互に開放させる時（開放切り替え時）においては、両弁２２、２５を択一的に（時間的にラップしないように）開放させるようにしても良いし、短時間（洗濯用水が洗剤ケース２４から溢れない程度の短い時間）であれば、一時的に両弁２２、２５とも開放状態となっても良い。
【００３１】
又、この実施形態によれば、弁切替え判定用水位Ｈｖを、目標水位Ｈｆが高いほど高く設定したから、目標水位Ｈｆ（洗濯用水の目標水量）が変更されても、洗濯用水の温度を目標とする温度とすることができる。
又、この実施形態によれば、先に給水弁２５による給水を実行するから、水槽５の底部部分をいきなり高い温度とせずに済み、水槽５底部における機構部１０とのシール部分（図１に符号Ｓで示す部分、この部分にはパッキンなどのシール部材が存在する）や、排水弁１７の劣化を極力抑えることができる。
【００３２】
又、この実施形態によれば、先に給水弁２５による給水を実行するについて、水位センサ２８がリセット水位（水位を検出可能な下限水位）となるまで給水弁２５による給水を実行するから、前記シール部分Ｓや排水弁１７の劣化防止を、水位センサ２８により検出可能な水位のうち最小限の水量で、図ることができる。
【００３３】
＜第２実施形態＞
図７は第２実施形態を示している。この実施形態では、最初に給水を連続して行い、次に給湯を連続して行うようにしている。この「高水位コース」の場合、連続給水の水量は、前記Ｗｍ０と、Ｗｍａ１との合計Ｗｍａ（Ｗｍａ＝Ｗｍ０+Ｗｍａ１）である。これに応じた弁切替え判定用水位Ｈｖは水位ｋ２となる。
「中水位コース」の場合、連続給水の水量はＷｍｂ（Ｗｍｂ＝Ｗｍ０+Ｗｍｂ１）となる。これに応じた弁切替え判定用水位Ｈｖは「少水位」となる。
「中１水位コース」の場合、連続給水の水量はＷｍｃ（Ｗｍｃ＝Ｗｍ０+Ｗｍｃ１）となる。これに応じた弁切替え判定用水位Ｈｖは水位「ｋ１」となる。
【００３４】
「低水位コース」の場合、連続給水の水量はＷｍｄ（Ｗｍｄ＝Ｗｍ０+Ｗｍｄ１）となる。これに応じた弁切替え判定用水位Ｈｖは水位「極少水位」となる。
「少水位コース」の場合、連続給水の水量はＷｍｅ（Ｗｍｅ＝Ｗｍ０+Ｗｍｅ１）となる。これに応じた弁切替え判定用水位Ｈｖは水位ｋ０（「リセット水位」＜ｋ０＜「極少」）となる。
この第２実施形態によれば、給水弁２５と給湯弁２２との切替え回数が１回で済み、給水弁２５及び給湯弁２２の開閉回数を少なくできて使用劣化を抑えることができる。
なお、最初に給湯を行い、次に給水を行うようにしても良い。この場合、各給湯量Ｗｙａ、Ｗｙｂ、Ｗｙｃ、Ｗｙｄ、Ｗｙｅに応じた弁切替え判定用水位Ｈｖとすれば良い。
【００３５】
＜第３実施形態＞
図８は第３実施形態を示している。この第３実施形態では、次の点が第１実施形態と異なる。給水弁２５のみを開放した（ステップＳ２０）後において、水位センサ２８による検出水位がリセット水位Ｈｒ（この場合異常判定用水位を兼用）とならないまま（ステップＳ３０の「ＮＯ」）、所定時間ｔ１が経過すれば（ステップＳ３１で判断）、ブザー３１及び表示器１８ｂに、水位の変化がない、つまり給水源の異常（水道蛇口が閉鎖されているなど）が発生しているとして、異常報知を行う（ステップＳ３２、報知制御手段）。なお、報知手段としてはブザー３１及び表示器１８ｂのいずれか一方でも良い。
【００３６】
又、給湯弁２２を開放し（ステップＳ４０）、水位センサ２８による検出水位が弁切替え判定用水位Ｈｖ未満の状態（ステップＳ５０の「ＮＯ」）において、水位センサ２８による検出水位が予設定された異常判定用水位Ｈ１を超えないまま（ステップＳ５１の「ＮＯ」）、所定時間ｔ２が経過すれば（ステップＳ５２で判断）、ブザー３１及び表示器１８ｂに、水位の変化がない、つまり給湯源の異常（給湯設備における湯が無いなど）が発生しているとして、異常報知を行う（ステップＳ５３、報知制御手段）。
【００３７】
又、給水弁２５を開放し（ステップＳ６０）、水位センサ２８による検出水位が目標水位Ｈｆ未満の状態（ステップＳ７０の「ＮＯ」）において、水位センサ２８による検出水位が予設定された異常判定用水位Ｈ２を超えないまま（ステップＳ７１の「ＮＯ」）、所定時間ｔ３が経過すれば（ステップＳ７２で判断）、ブザー３１及び表示器１８ｂに、水位の変化がない、つまり給水源の異常（水道蛇口が閉鎖されているなど）が発生しているとして、異常報知を行う（ステップＳ７３、報知制御手段）。
【００３８】
このような第３実施形態によれば、前記給水弁２５及び給湯弁２２のいずれかが開放されている状態で、所定時間を経過しても前記水位センサ２８による検出水位に変化が無いとき（ステップＳ３１の「ＹＥＳ」、ステップＳ５２の「ＹＥＳ」、ステップＳ７２の「ＹＥＳ」）には、給水源又は給湯源に異常が発生したと判断して、報知手段であるブザー３１及び表示部１８ｂに異常報知をさせるから、給水源、給湯源に異常があったことを報知できる。
【００３９】
この場合、制御装置１９における報知制御手段は、所定時間を経過しても前記水位センサによる検出水位に変化が無いと判断したとき（前記ステップＳ３１の「ＹＥＳ」、ステップＳ５２の「ＹＥＳ」、ステップＳ７２の「ＹＥＳ」）には、制御装置１９における洗濯用水供給制御手段は、前記給水弁及び給湯弁のうちこの時点で開放されている弁（つまり給水源又は給湯源に異常があるほうの弁）は、使用禁止の弁としてＥＥＰＲＯＭ３２に記憶し、この記憶した弁は今後の洗濯用水の供給には使用せず、この時点で閉鎖されていたほうの弁（つまり給水源又は給湯源に異常が無いほうの弁）のみを今後の洗濯用水の供給に使用するようにしても良い。
【００４０】
このようにすれば、水・湯のうち供給可能なほうを選択用水として使用できて、洗濯運転を継続することができる。
なお、この場合、給水弁及び給湯弁の両方が、使用禁止の弁として記憶された場合には、給水源及び給湯源の両方に異常があることを報知し、記憶結果は削除するようにしても良い。このようにすると、異常報知により使用者が、給水源及び給湯源の異常を認識して、当該異常を解消処理（例えば水道蛇口を開放、あるいは給湯設備の給湯量を確保する）すれば、この後、記憶結果が削除されているから、水・湯を供給できるようになる。
【００４１】
又、給水源又は給湯源に異常が発生したと判断した場合、使用が許可されている弁（休水源に異常があった場合には給湯弁、給湯源に異常があった場合には給水弁）を、当該弁の動作が予定された給水行程までは使用し、運転が当該弁の動作が予定されていない給水行程まで進んだときに、異常報知を行うようにしても良い。このようにすれば、洗濯物の洗濯に影響が出るような給水又は給湯（当初予定されていない給水や給湯）を防止できると共に、直前まで必要な給水又は給湯ができる。
【００４２】
以上説明した実施形態の洗濯機によれば、水・湯混合による洗濯用水を使用する場合に、給水弁の開放と給湯弁の開放とを交互に行うから、両弁から水・湯の両方を同時に流す場合に比して、給水路を流れる洗濯用水の水量を抑えることができて、給水路から洗濯用水が溢れることを防止でき、又、給水弁又は給湯弁の開放を、水位センサによる検出水位がこの弁切替え判定用水位となったことに応じて行うから、水槽内に目標水量に対して所定比率となる水量と湯量の水・湯を供給することができ、この結果、洗濯用水を、水温センサを用いることなく、ほぼ所定の水温とすることができる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれると共に、特許請求の範囲に記載された発明とその均等の範囲に含まれる。
【符号の説明】
【００４４】
図面中、１は洗濯機、５は水槽、７は回転槽、１８ｂは表示部（報知手段）、１９は制御装置（洗濯用水供給制御手段、報知制御手段）、２２は給湯弁、２４は洗剤ケース（給水路）、２５は給水弁、２８は水位センサ、３１はブザー（報知手段）、３２はＥＥＰＲＯＭ（記憶手段）を示す。
【図１】
2014083181.tif 000003
【図２】
2014083181.tif 000004
【図３】
2014083181.tif 000005
【図４】
2014083181.tif 000006
【図５】
2014083181.tif 000007
【図６】
2014083181.tif 000008
【図７】
2014083181.tif 000009
【図８】
2014083181.tif 000010